(57)【要約】【課題】撮像部を有する表示パネルを通信端末装置本体から離反した離反状態としたとき、表示パネルを所定の動作モードに切換えることができる利便性の向上された通信端末装置を提供する。【解決手段】通信端末装置本体２は、通信回線に接続され、通信回線を介して外部の機器と通信可能に構成される。表示パネル３は、通信端末装置本体２と通信可能であって、通信端末装置本体２に着脱可能に装着される。つまり表示パネル３は、通信端末装置本体２から離脱させることができる。表示パネル３には、カメラ部１１と、表示部１３と、パネル操作部１４とが搭載される。表示パネル３を通信端末装置本体２から離脱させたとき、パネル制御部１９によって表示パネル３は待機モードから撮像モードに切換わる。つまり表示パネル３を通信端末装置本体２から離脱させるだけで、すぐにカメラ部１１によって撮像可能な状態とすることができる。【選択図】      図１
2005012574.tif 000002
【特許請求の範囲】
【請求項１】
通信回線に接続される通信端末装置本体と、
通信端末装置本体と通信可能な表示パネルと、
表示パネルに搭載される撮像部と、
表示パネルに搭載される表示部と、
表示パネルに搭載される入力部と、
表示パネルが、通信端末装置に装着される装着状態を含む通信端末装置に近接した予め定める近接状態から、通信端末装置本体から離反した離反状態に変化すると、表示パネルの動作モードを前記予め定める近接状態における動作モードから所定の動作モードに切換え、前記所定の動作モードと近接状態における動作モードとが同じ場合には、予め定める近接状態の動作モードを維持する制御部とを含むことを特徴とする通信端末装置。
【請求項２】
前記表示パネルは、通信端末装置本体に着脱自在に装着され、表示パネルおよび通信端末装置本体には、有線通信する有線通信部および有線通信部を接続する有線接続部が設けられることを特徴とする請求項１記載の通信端末装置。
【請求項３】
前記通信端末装置本体および表示パネルには、無線通信する無線通信部が設けられることを特徴とする請求項１または２記載の通信端末装置。
【請求項４】
前記制御部は、表示パネルの動作モードが撮像部によって撮像する撮像モードのとき、撮像部によって撮像された画像を前記表示部に表示させ、前記入力部を、撮像部および表示部のうち少なくとも一方への指令を入力可能な撮像指令入力機能に設定することを特徴とする請求項１〜３のいずれかに記載の通信端末装置。
【請求項５】
前記制御部は、前記撮像指令入力機能として少なくとも、明るさ、倍率および上下反転のうち少なくとも１つを含むことを特徴とする請求項４記載の通信端末装置。
【請求項６】
前記制御部は、表示部に、撮像部によって撮像する撮像モードを含む複数のモードの中から希望する動作モードを選択するための複数のモード選択表示ボタンを表示させ、
前記入力部には、前記各モード選択操作ボタンに対応する複数のモード選択操作ボタンが設けられることを特徴とする請求項１〜５のいずれかに記載の通信端末装置。
【請求項７】
前記制御部は、前記表示パネルが、離反状態から予め定める近接状態に変化すると、表示パネルの動作モードを所定のモードから近接状態における動作モードに切換え、前記所定の動作モードと近接状態における動作モードとが同じ場合には、所定の動作モードを維持することを含むことを特徴とする請求項１〜６のいずれかに通信端末装置。
【発明の詳細な説明】
【０００１】
【発明の属する技術分野】
本発明は、通信端末装置本体と撮像部を有する表示パネルとを含む通信端末装置に関する。
【０００２】
【従来の技術】
従来の技術として、表示部および撮像部を有し、この表示部および撮像部が一体となって電話機本体から離脱可能に設けられる電話機がある。前記電話機は、表示部および撮像部から成るユニットと電話機本体との２つの機器が分離された状態で用いることができる。
【０００３】
【特許文献１】
特開平１１−３１７９０２号公報
【０００４】
【発明が解決しようとする課題】
従来の技術では、表示部および撮像部から成るユニットと、電話機本体とを離反させて用いることができるが、複数の機器によって構成される装置が、複数の動作モードを有する場合、前記機器を離反させて用いるときに、どのように動作するのかは開示されていない。したがって、複数の機器によって構成される装置が、複数の動作モードを有する場合、前記機器を近接させた近接状態と、機器を離反させた離反状態とにおいて、動作モードが選択される利便性の向上された装置が臨まれている。
【０００５】
本発明の目的は、撮像部を有する表示パネルの動作モードを、通信端末装置本体との位置関係に応じて切換えることができる利便性の向上された通信端末装置を提供することである。
【０００６】
【課題を解決するための手段】
本発明は、通信回線に接続される通信端末装置本体と、
通信端末装置本体と通信可能な表示パネルと、
表示パネルに搭載される撮像部と、
表示パネルに搭載される表示部と、
表示パネルに搭載される入力部と、
表示パネルが、通信端末装置に装着される装着状態を含む通信端末装置に近接した予め定める近接状態から、通信端末装置本体から離反した離反状態に変化すると、表示パネルの動作モードを前記予め定める近接状態における動作モードから所定の動作モードに切換え、前記所定の動作モードと近接状態における動作モードとが同じ場合には、予め定める近接状態の動作モードを維持する制御部とを含むことを特徴とする通信端末装置である。
【０００７】
本発明に従えば、通信端末装置本体は、通信回線に接続され、通信回線を介して外部の機器と通信可能に構成される。撮像部、表示部および入力部が搭載される表示パネルは、通信端末装置本体と通信することができる。通信端末装置本体に近接した予め定める近接状態では、制御部によって表示パネルは予め定める近接状態における動作モードとされ、つまり撮像部、表示部および入力部は前記予め定める近接状態における動作モードとされる。
【０００８】
また表示パネルは、通信端末装置本体から離反した離反状態では、制御部によって所定の動作モードとされ、つまり撮像部、表示部および入力部は前記所定の動作モードとされる。また前記所定の動作モードが、予め定める近接状態における動作モードと同じ場合には、表示パネルが予め定める近接状態から離反状態に変化すると、制御部によって予め定める近接状態の動作モードが維持される。
【０００９】
予め定める近接状態と、離反状態とにおいて、表示パネルの動作モードを変更する場合、予め定める近接状態の動作モードと、所定の動作モードを異ならせて設定しておくことによって、表示パネルを予め定める近接状態から離反状態に変化させるだけで、すぐに表示パネルを所定の動作モードとすることができる。これによって表示パネルを通信端末装置本体から離反状態とさせたときに、たとえば入力部を用いて動作モードを設定する必要がなく、利便性が向上される。前記予め定める近接状態は、表示パネルが通信端末装置本体から予め定める範囲に位置する状態である。
【００１０】
また予め定める近接状態と、離反状態とにおいて、表示パネルの動作モードが同じである場合には、動作モードが維持されるので、不所望に動作モードが切換わることがない。
【００１１】
また本発明は、前記表示パネルは、通信端末装置本体に着脱自在に装着され、表示パネルおよび通信端末装置本体には、有線通信する有線通信部および有線通信部を接続する有線接続部が設けられることを特徴とする請求項１記載の通信端末装置である。
【００１２】
本発明に従えば、表示パネルを通信端末装置本体に装着して、表示パネルに設けられる有線通信部と、通信端末装置本体に設けられる有線通信部とを、相互に有線通信接続部によって接続することによって、有線通信接続部を介して有線通信することができる。このように各有線通信部を有線通信接続部によって相互に物理的に接続して、表示パネルと通信端末装置本体とが通信する構成とすることで、表示パネルと通信端末装置本体との間での通信情報の伝送の信頼性を確保し、安定した通信を行うことができる。
【００１３】
また本発明は、前記通信端末装置本体および表示パネルには、無線通信する無線通信部が設けられることを特徴とする。
【００１４】
本発明に従えば、通信端末装置本体と表示パネルとは、無線通信部を介して、無線通信によって通信することができる。したがって、通信端末装置本体と表示パネルとを物理的に接続しなくても、相互に無線通信することができるので、通信端末装置と表示パネルとの予め定める近接状態における配置の自由度が向上する。前記無線通信部の通信状態、たとえば電波強度に応じて、制御部は、予め定める近接状態と離反状態とを区別することができる。
【００１５】
また本発明は、前記制御部は、表示パネルの動作モードが撮像部によって撮像する撮像モードのとき、撮像部によって撮像された画像を前記表示部に表示させ、前記入力部を、撮像部および表示部のうち少なくとも一方への指令を入力可能な撮像指令入力機能に設定することを特徴とする。
【００１６】
本発明に従えば、表示パネルの動作モードが撮像部によって撮像する撮像モードのとき、制御部によって、表示部には撮像部によって撮像された画像が表示される。これによって、利用者は、撮像部によって撮像された画像を見ることができる。また前記撮像モードのとき、制御部によって、入力部は撮像指令設定機能に設定される。これによって、前記入力部から撮像部および表示部のうち少なくとも一方への指令を利用者が直接入力することができる。したがって、撮像の設定および表示部の設定を入力部からの入力によって直接変更することができるようになり、利用者が表示パネルを用いて撮像するときの操作が簡略化される。
【００１７】
また本発明は、前記制御部は、前記撮像指令入力機能として少なくとも、明るさ、倍率および上下反転のうち少なくとも１つを含むことを特徴とする。
【００１８】
本発明に従えば、前記制御部は、前記撮像指令入力機能として少なくとも、明るさ、倍率および上下反転のうち少なくとも１つを含む。明るさ、倍率および上下反転のように、利用者による使用頻度の高い機能を入力部からの入力によって直接変更することができるようになり、操作性がさらに向上される。
【００１９】
また本発明は、前記制御部は、表示部に、撮像部によって撮像する撮像モードを含む複数のモードの中から希望する動作モードを選択するための複数のモード選択表示ボタンを表示させ、
前記入力部には、前記各モード選択操作ボタンに対応する複数のモード選択操作ボタンが設けられることを特徴とする。
【００２０】
本発明に従えば、表示部には、前記待機モードおよび撮像モードを含む複数のモードの中から希望するモードを選択するための複数のモード選択表示ボタンが表示される。また前記入力部には、前記各モード選択操作ボタンに対応する複数のモード選択操作ボタンが設けられる。入力部のモード選択操作ボタンを操作することによって、表示部に表示されるモード選択表示ボタンを選択して、複数のモードの中から希望するモードを選択することができる。
【００２１】
このように、入力部のようなハードウェアによって形成されるモード選択操作ボタンを用いて、表示部に表示され、ソフトウェアによって形成されるモード選択表示ボタンを選択することによって、モード選択操作ボタンを少なく構成することができる。したがって、装置のハードウェア構成を簡略化することができ、部品数を低減して装置の組み立てを容易にすることができる。
【００２２】
また本発明は、前記制御部は、前記表示パネルが、離反状態から予め定める近接状態に変化すると、表示パネルの動作モードを所定のモードから近接状態における動作モードに切換え、前記所定の動作モードと近接状態における動作モードとが同じ場合には、所定の動作モードを維持することを含むことを特徴とする。
【００２３】
本発明に従えば、表示パネルを通信端末装置本体に離反状態から近接させ、予め定める近接状態とすることによって、制御部は、所定の動作モードから予め定める近接状態における動作モードに切換える、または所定の動作モードを維持させることができる。予め定める近接状態と、離反状態とにおいて、表示パネルの動作モードを変更する場合、予め定める近接状態の動作モードと、所定の動作モードを異ならせて設定しておくことによって、表示パネルを離反状態から予め定める近接状態に変化させるだけで、すぐに表示パネルを所定の動作モードとすることができる。これによって表示パネルを予め定める近接状態とさせたときに、たとえば入力部を用いて動作モードを設定する必要がなく、利便性がさらに向上される。
【００２４】
【発明の実施の形態】
図１（１）は、通信端末装置１を通信端末装置本体２に表示パネル３が装着された状態で示す正面図であり、図１（２）は通信端末装置１を通信端末装置本体２から表示パネル３が離脱された状態で示す正面図である。図２は、本発明の実施の一形態の通信端末装置１を示す斜視図である。通信端末装置１は、たとえば電話機能を有するファクシミリ装置として実現され、通信回線を介して画像を含む各種の情報を通信、すなわち送受信可能であり、処理対象としての前記情報を、処理要求に応じて処理する情報通信処理装置である。通信端末装置１は、通信回線に接続される通信端末装置本体２と、通信端末装置本体２に着脱可能に装着され、通信端末装置本体２と通信可能な表示パネル３とを含む。
【００２５】
表示パネル３は、通信端末装置本体２に対して、図１（１）に示すように装着して装着状態とすることができるとともに、図１（２）に示すように離脱して離脱状態とすることができる。通信端末装置本体２には、本体コネクタ４が設けられ、表示パネル３には、パネルコネクタ５が設けられる。通信端末装置本体２には、表示パネル３を装着するための装着部６が設けられる。装着部６には、表示パネル３を装着したときに、表示パネル３に嵌合する嵌合部７が設けられる。
【００２６】
装着状態では、各コネクタ４，５は接続され、通信端末装置本体２と表示パネル３とは電気的に接続され、各コネクタ４，５を介して、通信端末装置本体２の電源部から表示パネル３に電力を供給することができるとともに、通信端末装置本体２および表示パネル３間で、有線通信によって情報および制御指令の送受信が可能である。
【００２７】
表示パネル３を通信端末装置本体２から離脱させる、つまり表示パネル３が通信端末装置本体２に近接した予め定める近接状態から、表示パネル３が通信端末装置本体２から離反した離反状態に変化させると、表示パネル３は、予め定める近接状態における動作モードである待機モードから所定のモードである撮像モードに切換わる。本実施の形態において、前記予め定める近接状態とは、表示パネル３が通信端末装置２に装着された状態である。
【００２８】
本実施の形態において前記待機モードとは、通信端末装置１の動作モードのうち、撮像モードを除く残余のモードを含む。通信端末装置１の動作モードには、たとえば通信回線を介して受信する着信信号を待ち受ける状態の待ち受けモード、およびファクシミリ送信または受信するファクシミリ動作モード、電子メールの送受信を行うメール送受信モード、および留守番電話として動作する留守モードなどが含まれる。表示パネル３を通信端末装置本体２から離脱させると、通信端末装置１がどのような動作モードとなっていても、表示パネル３は撮像モードとなる。撮像モードとは、後述する撮像部によって撮像する動作モードである。
【００２９】
図３は、表示パネル３の電気的構成を示すブロック図である。表示パネル３は、カメラ部１１、画像処理部１２、表示部１３、入力部であるパネル操作部１４、パネルコネクタ５、撮像データ記憶部１５、パネル有線通信部１６、電源回路１７、充電池１８、およびパネル制御部１９を含む。
【００３０】
カメラ部１１は、撮像レンズと、電荷結合素子（Ｃｈａｒｇｅ  Ｃｏｕｐｌｅｄ  Ｄｅｖｉｃｅ；略称ＣＣＤ）イメージセンサおよび相補型モス（Ｃｏｍｐｌｅｍｅｎｔａｒｙ  Ｍｅｔａｌ  Ｏｘｉｄｅ
Ｓｅｍｉｃｏｎｄｕｃｔｏｒ；略称ＣＭＯＳ）イメージセンサなどの撮像素子と、増幅部と、アナログ／デジタル（Ａｎａｌｏｇ／Ｄｉｇｉｔａｌ；略称Ａ／Ｄ）変換部とを含む。撮像素子には、赤色（Ｒ），緑色（Ｇ），青色（Ｂ）の３色のカラーフィルタと、マイクロレンズアレイとが設けられている。
【００３１】
カメラ部１１では、被写体で反射され撮像レンズを介して入射した光を、カラーフィルタを通してＲ，Ｇ，Ｂの３色光にして、Ｒ，Ｇ，Ｂの３色光をそれぞれ撮像素子によって電気信号に変換する。そして、Ｒ，Ｇ，Ｂの３色光のそれぞれに対応した電気信号を増幅部によって増幅し、増幅されたＲ，Ｇ，Ｂに対応したアナログの電気信号をＡ／Ｄ変換部によってデジタルの電気信号に変換して、画像データを生成する。前記増幅部およびＡ／Ｄ変換部は、カメラ部１１とは別に設けられてもよい。カメラ部１１は、制御指令に基づいて、そのシャッタスピードおよび増幅率を変更することができる。前記シャッタスピードは、撮像素子における電荷の蓄積時間によって決定される。カメラ部１１は、情報を入力する入力手段である。
【００３２】
画像処理部１２は、カメラ部１１から与えられるデジタルの画像信号である画像データを、表示部１３に適した画像フォーマットに変換する。画像処理部１２は、たとえばデジタルシグナルプロセッサ（Ｄｉｇｉｔａｌ  Ｓｉｇｎａｌ  Ｐｒｏｃｅｓｓｏｒ：略称ＤＳＰ）によって実現される。画像処理部１２は、制御指令に基づいて、カメラ部１１から与えられる画像データを処理し、これによってカメラ部１１で撮像される画像の撮像倍率を変更することができる。前記カメラ部１１および画像処理部１２を含んで撮像部が構成される。
【００３３】
表示部１３は、たとえばカラー表示可能な透過型の液晶表示装置によって実現され、制御指令に基づいて情報を表示する。表示部１３は、バックライトを有し、バックライトを点灯させて背後から照明することによって、情報である所定の文字および画像を表示する。また表示部１３は、表示用メモリを有し、この表示用メモリに表示させる画像データを一時的に格納する。表示部１３は、たとえば縦方向が２４０画素であり、横方向が３２０画素のＱＶＧＡで表示する。
【００３４】
パネル操作部１４は、後述する図５に示すシャッタボタン５１と十字ボタン５２と十字ボタン５２の中央に配置される中央ボタン５３と機能ボタン５４とを含む。操作者は、シャッタボタン５１、十字ボタン５２、中央ボタン５３および機能ボタン５４のいずれかの操作部位を操作することによって、処理要求を入力することができる。
【００３５】
撮像データ記憶部１５は、表示パネル３の筐体内に内蔵され、取り外しは不可である内蔵メモリと、表示パネル３の筐体内に収容可能であり、所定のコネクタを介して着脱自在に装着される着脱メモリとを含む。内蔵メモリおよび着脱メモリは、たとえば情報の書き換えが可能なフラッシュメモリなどの半導体装置によって実現される。着脱メモリは、たとえばＳＤメモリカードなどである。撮像データ記憶部１５は、制御指令に基づいて、表示部３の表示メモリに記憶されている画像データを圧縮した状態で記憶する。前記画像データを前記内蔵メモリおよび着脱メモリのいずれに記憶するのかは、操作者によって選択可能に構成される。前記画像データは、後述するパネル制御手段１９によって予め定める圧縮方法、たとえばＪＰＥＧ（Ｊｏｉｎｔ  Ｐｈｏｔｏｇｒａｐｈｉｃ  Ｅｘｐｅｒｔ  Ｇｒｏｕｐ）方式によって圧縮される。本実施の形態では、画像データは、静止画を表す。
【００３６】
表示パネル３では、内蔵メモリだけでなく、着脱メモリに画像データを記憶することができるので、より多くの画像データを記憶する、つまりより多くの画像を撮像することができる。また画像データを着脱メモリに記憶して、着脱メモリを他の機器に読取らせることによって、他の機器に画像データを移すことが容易に可能となる。
【００３７】
パネル有線通信部１６は、たとえばシリアル通信を実現するインタフェース回路によって実現される。本発明の他の実施の形態において、パネル有線通信部１６は、たとえばユーエスビー（Ｕｎｉｖｅｒｓａｌ  Ｓｅｒｉａｌ  Ｂｕｓ：略称ＵＳＢ）インタフェース回路などのインタフェース回路によって実現してもよい。パネル有線通信部１６は、後述する本体ＣＰＵ３３とパネル制御部１９との間で制御信号を安定して入出力する。表示パネル３が通信端末装置本体２から離脱した状態では、パネル有線通信部１６に本体ＣＰＵ３３からの制御信号が入力されないことによって、パネル制御部１９において表示パネル３が通信端末装置本体２から取り外されていると判断する。
【００３８】
パネルコネクタ５は、有線接続部であり、電力受給用接続手段としての電力受給用端子を有している。表示パネル３が通信端末装置本体２に装着される装着状態では、通信端末装置本体２の電源から表示パネル３の電源回路１７に電力が与えられる。電源回路１７は、通信端末装置本体２から供給される電力を、表示パネル３の前述の各構成に供給することができる。また電源回路１７は、通信端末装置本体２から供給される電力を電源部である充電池に充電することができる。表示パネル３が通信端末装置本体２から離脱される状態では、電源回路１７は、充電池１８の電力を表示パネル３の前述の各構成に供給することができる。このように表示パネル３は、この表示パネル３の各構成に対する電力供給を、この表示パネル３内蔵の充電池１８に蓄えられている電力および通信端末装置本体２から供給される電力とに、切り替えられる構造である。これによって、表示パネル３を通信端末装置本体２から離脱させた状態であっても、表示パネル３の各構成には充電池から電力が供給されるので、表示パネル３の各構成を動作させることができる。充電池１８は、たとえばニッカド電池またはニッケル水素電池によって実現される。
【００３９】
パネル制御部１９は、中央演算処理ユニット（Ｃｅｎｔｒａｌ  Ｐｒｏｃｅｓｓｉｎｇ  Ｕｎｉｔ：略称ＣＰＵ）と、パネル記憶部とを含む。パネル記憶部は、たとえばＲＯＭ（Ｒｅａｄ  Ｏｎｌｙ  Ｍｅｍｏｒｙ）およびフラッシュメモリを含んで実現され、前記ＲＯＭに待機モードおよび撮像モードでの表示パネル３における動作プログラムなど、表示パネル３における動作を達成するためのプログラムなどを記憶している。具体的には、シリアル転送方式をサポートするオペレーションシステム（ＯＳ）およびその他の制御プログラムが格納されている。また前記フラッシュメモリには、表示パネル３における設定情報、たとえば撮像部における撮像倍率に関する情報および露出量に関する情報が記憶されている。
【００４０】
パネル制御部１９のＣＰＵは、パネル記憶部に記憶される設定情報に基づき、かつＯＳおよび制御プログラムを読み出して実行することによって、通信端末装置本体２との通信およびパネル操作部１４による指令入力などを実行できるように、前述の各構成に制御指令を与えて制御する。
【００４１】
パネル制御部１９は、画像データを撮像データ記憶部１５に記憶させる場合、表示部１３の表示メモリに記憶される画像データを、予め定める圧縮方法によって圧縮し、データ量を小さくした状態で、記憶させる。前記予め定める圧縮方法は、たとえばＪＰＥＧ方式などであり、指令入力に基づいて画像データの圧縮率を変更することができる。
【００４２】
表示パネル３は、通信端末装置本体２に対して着脱可能であり、図１に示すように通信端末装置本体２に装着し、図２に示すように通信端末装置本体２から離脱させることができる。表示パネル３のパネル操作部１４は、後述する通信端末装置本体２のキーパネル部２１と同様に、操作者が操作して通信端末装置１への指示、すなわち処理要求を入力することができる。表示パネル３が通信端末装置本体２に装着される装着状態では、各コネクタ４，５が接続されており、情報および制御指令は、通信端末装置本体２および表示パネル３間で有線通信される。
【００４３】
パネル制御部１９は、表示パネル３が通信端末装置本体２から離脱したとき、つまり表示パネル３を予め定める近接状態から離反状態に変化させたとき、表示パネル３を待機モードから、前記撮像部によって撮像を行う撮像モードに切換える。このように表示パネル３を通信端末装置本体２から離脱させるだけで、すぐに撮像部によって撮像可能な状態とすることができる。これによって表示パネル３を通信端末装置本体２から離脱させて、撮像部によって撮像する場合であっても、たとえばパネル操作部１４を操作することによって撮像モードを設定する必要がなく、利便性が向上される。
【００４４】
またパネル制御部１９は、表示パネル３を通信端末装置本体２に装着したとき、つまり表示パネル３を離反状態から予め定める近接状態に変化させたとき、表示パネル３を撮像モードから待機モードに切換える。このように表示パネル３を通信端末装置本体２に装着するだけで、待機モードにすることができる。これによって、表示パネル３を装着状態に戻す場合であっても、たとえばパネル操作部１４を操作することによって、動作モードを設定する必要がなく、利便性が向上される。
【００４５】
表示パネル３が通信端末装置本体２から離脱したか否かの判断は、前述したようにパネル有線通信部１６に本体ＣＰＵ３３からの制御信号が入力されるどうかを検出して、本体ＣＰＵ３３からの制御信号が入力されないと判断すると、表示パネル３が通信端末装置本体２から取り外されていると判断する。たとえばパネル制御部１９は、パネル有線通信部１６およびパネルコネクタ５を介して本体ＣＰＵ３３と予め定める一定間隔で通信し、通信不可能であることを検出したときに離脱したと判断する。
【００４６】
本発明の他の実施の形態では、表示パネル３に機械的なスイッチを設け、表示パネル３が通信端末装置本体２から離脱したときに前記スイッチの態様が変化するように構成しておき、前記スイッチの態様の変化をパネル制御部１９によって検出することによって、表示パネル３が通信端末装置本体２から離脱しているか否かを判断してもよい。
【００４７】
また表示パネル３には、図示しないスピーカ部が設けられ、パネル操作部１４の操作に応じて、予め定める音を発生する。
【００４８】
図４は、通信端末装置本体２の構成を示すブロック図である。通信端末装置本体２は、キーパネル部２１、モデム２２、ＮＣＵ（Ｎｅｔｗｏｒｋ  Ｃｏｎｔｒｏｌ  Ｕｎｉｔ）２３、スキャナ部２４、印刷部２５、ハンドセット２６、無線送受信部２７、本体送受信メモリバッファ２８、本体有線通信部２９、本体プログラム記憶部３１、本体情報記憶部３２および本体ＣＰＵ３３を有し、これら各構成は、本体データバス３４に接続されることによって相互に接続される。また通信端末装置本体２は、アンテナ３５、本体コネクタ４、給電停止スイッチ回路３６および電源部３７をさらに有する。アンテナ３５は、無線送受信部２７に接続されて設けられる。本体コネクタ４および給電停止スイッチ回路３６は、本体有線通信部２９に接続され、また本体コネクタ４は、給電停止スイッチ回路３６を介して電源部３７に接続されている。
【００４９】
キーパネル部２１は、ファンクションキー、テンキー、カーソルキーおよび決定キーなどの入力操作用の操作ボタンを含む。操作者は、キーパネル部２１の各操作ボタンを操作することによって、処理対象としての情報を入力し、また情報の処理内容を表す処理要求を入力することができる。情報の処理内容は、たとえば情報の送信および情報の印刷を含む。
【００５０】
モデム２２は、情報および制御指令を含む送受信データを変復調する手段である。本実施の形態では、前記モデムは、ファクシミリ通信用のモデムと、電子メール通信用のモデムとを含むが、ファクシミリ通信と電子メールの通信との両者モデム機能を有する１つのモデムで兼用してもよい。ネットワークコントロールユニットであるＮＣＵ２３は、公衆電話交換ネットワークＰＳＴＮの通信回線３８への接続および接続解除を制御し、他の通信装置との通信の開始および終了を制御する。この通信は、情報の送信と情報の受信とを有する。
【００５１】
スキャナ部２４は、原稿を読取るための手段である。読取った原稿の画像は、処理対象の情報である。つまりこのスキャナ部は、キーパネル部２１およびＮＣＵ２２と同様に、情報を入力する手段を構成する。印刷部２５は、情報を印刷する手段である。たとえば他の通信装置から受信した情報を印刷することもできるし、スキャナ部２４で読取った情報を印刷することもできる。この印刷部２５は、情報の出力手段として機能する。スキャナ部および印刷部を用いることによって、画像を複写することができる。
【００５２】
ハンドセット２６は、送話部および受話部を有する。このハンドセット２６の送話部から音声を入力し、受話部から音声を出力する。送話部から入力した音声を他の通信装置に送信することができるし、他の通信装置から受信した音声を受話部から出力することができる。つまりハンドセットを用いて他の通信装置と通話することができる。この音声も処理対象としての情報であり、ハンドセットは、情報の入力手段としての機能および情報の出力手段としての機能を有する。したがってキーパネル部２１、スキャナ部２４およびハンドセット２６を含んで通信端末装置本体２の入力手段が構成される。
【００５３】
本体無線送受信部２７は、情報および制御指令をアンテナ３５から電波３９として送信することができる。また本体無線送受信部２７は、電波３９として到来する情報および制御指令をアンテナ３５を介して受信することができる。この本体無線送受信部２７およびアンテナ３５は、電話機子機と無線通信するための手段である。
【００５４】
本体送受信メモリバッファ２８は、送受信データを一時的に記憶する手段である。本体プログラム記憶部３１は、リードオンリメモリ（Ｒｅａｄ  Ｏｎｌｙ  Ｍｅｍｏｒｙ：ＲＯＭ）によって実現され、画像の送受信および通話などにおける情報の処理に係る通信端末装置本体２のルーチンワークなど、通信端末装置本体２における動作を達成するための制御プログラムを記憶している。
【００５５】
前記制御プログラムには、通信端末装置１を所定の動作モードとするプログラムが含まれる。制御プログラムには、通信端末装置１を、通信回線を介して受信する着信信号を待ち受けモードとするためのプログラム、ファクシミリ送信または受信するファクシミリ動作モードとするためのプログラム、メールの送受信を行うメール送受信モードとするためのプログラム、および留守番電話として動作する留守モードとするためのプログラムなどが含まれる。
【００５６】
本体情報記憶部３２は、ランダムアクセスメモリ（Ｒａｎｄｏｍ  Ａｃｃｅｓｓ  Ｍｅｍｏｒｙ：ＲＡＭ）またはフラッシュメモリなどの書き換え可能なメモリによって実現され、情報を記憶することができる。たとえば、通信端末装置１が留守モードに設定される場合、この本体情報記憶部３２に通信回線を介して受信した音声情報を記憶しておく。
【００５７】
本体有線通信部２９は、たとえばシリアル通信を実現するインタフェース回路によって実現され、本体コネクタ４を介した表示パネル３との有線通信を可能にするための手段である。本発明の他の実施の形態において、本体有線通信部２９は、ＵＳＢインタフェース回路などのインタフェース回路によって実現されてもよい。また本体有線通信部２９は、給電停止スイッチ回路３６にも接続されており、給電停止スイッチ回路３６に動作指令を与えるために用いることができる。
【００５８】
本体ＣＰＵ３３は、本体プログラム記憶部３１に記憶される制御プログラムを読み出して実行することによって、他の装置との通信および表示パネル３との通信などを実行できるように、前述の各構成に制御指令を与えて制御する。また本体ＣＰＵ３３は、本体有線通信部２９を制御して、給電停止スイッチ回路３６を制御することも可能である。
【００５９】
電源部３７は、商用電源に接続可能であり、商用電源から電力を取得して、取得した電力を通信端末装置本体２を構成する前述の各構成に与えることができる。また電源部３７は、本体コネクタ４が有する電力供給用接続手段としての電力供給用端子を有し、本体コネクタ４を介して表示パネル３に電力を供給することが可能である。
【００６０】
この電源部３７と、本体コネクタ４との間に給電停止スイッチ回路３６が介在されている。このスイッチ回路３６は、表示パネル３が装着状態にある場合は、本体コネクタ４への電源部３７からの電力供給を許容し、表示パネル３が離脱状態にある場合には、本体コネクタ４への電源部３７からの電力供給を停止する。
【００６１】
図２に示すように、表示パネル３は、通信端末装置１を載置台に設置した状態で、斜め上方に臨む通信端末装置１の正面部に装着される。したがって、表示パネル３に設けられる表示部１３の表示面、およびキーパネル部２１の操作ボタンの操作部位は、斜め上方に臨んでいる。これによって操作者にとって、表示部１３に表示される文字および画像を見やすく、また操作部６を操作しやすい。表示パネル３は、通信端末装置本体２の幅方向の略中央部に装着され、正面部が臨む側から見て、表示パネル３の右側にテンキーなどが配置され、表示パネル３の左側にハンドセット２６が配置される。通信端末装置本体２の背後には、原稿をスキャナ部１８に案内し、記録シートを前記印刷部に案内する案内部材２４が設けられる。
【００６２】
通信端末装置１は、ファクシミリ装置であるが、表示パネル３を通信端末装置本体２に装着した状態で、表示パネル３の表示部１３に、インターネットに接続されたサーバーに開設されるホームページの内容を、処理対象の情報として扱い、表示させて閲覧することができる。また電子メールの内容を情報として扱い、表示部１３に、電子メールを表示させて確認したり、電子メールを送受信したりすることができる。
【００６３】
また通信端末装置１は、カメラ部１１によって撮像し、撮像データ記憶部１５に記憶される画像を、たとえば電子メールに添付して送信することができる。また通信端末装置１は、カメラ部１１で撮像された画像を、通信回線を介して送信することによって、テレビ電話として用いてもよい。
【００６４】
通信端末装置１では、通信端末装置本体２からカメラ部１１が設けられる表示パネル３が離脱可能であるので、通信端末装置本体２にカメラ部１１が固定される場合と比較して、カメラ部１１による撮像範囲が広がり、さまざまな画像を撮像することが可能となる。
【００６５】
図５は、表示パネル３の外観を拡大して示す正面図であり、図６は表示パネル３の外観を拡大して示す背面図である。通信端末装置１を載置台に設置して、通信端末装置本体２に表示パネル３に装着した場合に、上下となる方向を表示パネル３の上下として説明する。表示パネル３は、板状に形成される略直方体形状の筐体４２を有し、一方側、つまり図５の紙面に垂直な方向手前側に表示部１３の表示面が臨む。前記表示部１３の表示面に臨む側を正面部とする。
【００６６】
カメラ部１１は、表示部１３の表示面に関して平行な軸線まわりに、角変位可能に設けられる。具体的には、カメラ部１１は、表示パネル３の筐体４２の上部４３、つまり図５の上部で、前記表示部１３の表示面に平行であって、表示パネル３の上下方向に垂直な軸線まわりに角変位させることができる。前記カメラ部１１は、少なくとも、表示部１３の表示面の臨む方向から、この表示面が臨む側とは反対側に臨む方向に前記撮像レンズの光軸を変位させることができる。本実施の形態では、通信端末装置本体２を水平な載置面に載置したときに、表示パネル３を通信端末装置本体２に装着した装着状態で、前記カメラ部１１の撮像範囲が水平面よりも下方に突出するように構成される。
【００６７】
表示パネル３の一方側には、前述したシャッタボタン５１、十字ボタン５２、中央ボタン５３および機能ボタン５４の操作部位が臨む。シャッタボタン５１の操作部位は、表示部１３の表示面が臨む側から見て、表示部１３の右側で、かつ表示パネル３の上下方向の上部４３寄りに配置される。十字ボタン５２および中央ボタン５３の操作部位は、表示部１３の表示面が臨む側から見て、表示部１３の右側で、かつ表示パネル３の上下方向の略中央に配置される。
【００６８】
図７は、十字ボタン５２および中央ボタン５３の操作部位を拡大して示す図である。十字ボタン５２には、上ボタン５２ａ、下ボタン５２ｂ、右ボタン５２ｃおよび左ボタン５２ｄが含まれる。十字ボタン５２の操作部位は、円環形状を有し、上ボタン５２ａ、下ボタン５２ｂ、右ボタン５２ｃおよび左ボタン５２ｄに対応する位置に、突起部５５ａ〜５５ｄがそれぞれ設けられる。表示パネル３の表示面の臨む側から見て、上ボタン５２ａは十字ボタン５２の上部に位置し、下ボタン５２ｂは十字ボタン５２の下部に位置し、右ボタン５２ｃは十字ボタン５２の右部に位置し、左ボタン５２ｄは十字ボタン５２の左部に位置している。各突起部５５ａ〜５５ｄを操作する、すなわち押圧することによって、上ボタン５２ａ、下ボタン５２ｂ、右ボタン５２ｃおよび左ボタン５２ｄに対応した指令をパネル制御部１９に与えることができる。
【００６９】
中央ボタン５３の操作部位は、前述した上ボタン５２ａ、下ボタン５２ｂ、右ボタン５２ｃおよび左ボタン５２ｄの操作部位の中央に設けられる。中央ボタン５３の操作部位を操作する、すなわち押圧することによって、中央ボタン５３に対応した指令をパネル制御部１９に与えることができる。
【００７０】
機能ボタン５４の操作部位は、シャッタボタン５１の操作部位の近傍に配置される。機能ボタン５４の操作部位を操作する、すなわち押圧することによって、機能ボタンに対応した指令をパネル制御部１９に与えることができる。
【００７１】
このように、シャッタボタン５１と、十字ボタン５２および中央ボタン５３と、機能キー５４との操作部位は、表示部１３の表示面の右側で、近接する位置に配置されている。たとえば、操作者が表示パネル３のパネル操作部１４を操作する場合に、片手でシャッタボタン５１と、十字ボタン５２および中央ボタン５３と、機能ボタン５４とを操作することができ、操作性が向上される。また各ボタンを表示パネル５３の予め定める領域に集めて配置することによって、各ボタンを同じ基板上に形成することができ、生産性が向上される。
【００７２】
表示パネル３の背面部５６には、把持位置案内部５７が設けられる。把持位置案内部５７は、背面部５６の左右方向の両端部に上下方向に延びる凸部５７ａによって実現される。前記凸５７ａは、表示パネル３の上下方向の中央部近傍から下部にわたって形成される。このような凸部５７ａを設けることによって、操作者は表示パネル３を把持して撮像するときに、把持しやすく、これによって表示パネル３の落下を防止することができる。
【００７３】
本発明の実施の他の形態において、把持位置案内部５７は、前記凸部５７ａが設けられる位置に、凹所を形成し、たとえばゴム部材などの摩擦係数の大きな部材を前記凹所に配置して形成してもよく、また前記凸部が設けられる位置の表面を粗面に加工することによって実現してもよい。
【００７４】
前記背面部５６の中央部には、パネルコネクタ５が形成される。パネルコネクタ５の下方で、表示パネル３の下部には、通信端末装置本体２の装着部６に設けられる嵌合部７に嵌合する被嵌合部５８が設けられる。表示パネル３を通信端末装置本体２に装着したときに、被嵌合部５８を、前記嵌合部７に嵌合させることによって、表示パネル３を通信端末装置本体２に安定して保持させることができる。
【００７５】
操作者が表示パネル３を把持する場合、前記凹所５７に指を引っ掛けることによって、表示パネル３の背面部５６に設けられるパネルコネクタ５に、操作者の手指が接触することを防止することができる。本発明の実施の他の形態では、表示パネル３を通信端末装置本体２から離脱させたときに、前記パネルコネクタ５を覆うカバー体を表示パネル３に設ける構成としてもよい。これによって、パネルコネクタ５に埃および塵などが付着することが防止される。
【００７６】
図８は、表示パネル３を通信端末装置本体２から離脱させたときの表示部１３の表示画面を示す図である。表示パネル３を通信端末装置本体２から離脱させると、パネル制御部１９は、表示パネル３を待機モードから撮像モードに切換える。つまりパネル制御部１９は、表示パネル３の各部を制御して、撮像部によって撮像可能な状態とする。パネル制御部１９は、撮像モードに切換えたとき、カメラ部１１、画像処理部１２および表示部１３に制御指令を与え、カメラ部１１によって撮像された画像を表示部１３に表示させる。
【００７７】
またパネル制御部１９は、撮像モードにおいて、表示部１３の上部に、ステータスバー６２を表示させる。ステータスバー６２には、表示パネル３の状態を表す情報が表示されている。表示パネルの状態を表す情報には、設定情報が含まれる。ステータスバー６２には、具体的には充電池１８の状態を表す電源状態表示領域６３と、撮像する画像の画質を表す画質表示領域６４、撮像された画像を記憶する場所を表す記憶場所表示領域６５、撮像可能な画像の枚数を表す撮像可能枚数表示領域６６と、撮像倍率を表す撮像倍率表示領域６７と、基準値に対する画像の明るさを表す露出表示領域６８とが設けられる。
【００７８】
電源状態表示領域６３には、充電池の残容量が表示される。前記残容量の表示は、たとえば充電池の大まかな残容量を表す記号によって表される。
【００７９】
画質表示領域６４には、画像データ記憶部１５に記憶される画像の画質を表す設定情報が表示される。撮像する画像の画質は、たとえば予め定める設定状態である「ノーマル」と、この「ノーマル」よりも画質が向上される「ファイン」とがある。標準モードが設定されている場合には、「ノーマル」と表示され、高画質モードが設定されている場合には、「ファイン」と表示される。具体的には、標準モードと高画質モードとでは、撮像データ記憶部１５に記憶する画像データの圧縮率が異なる。初期設定では、標準モードに設定され、パネル操作部１４の操作によって設定を変更することができる。前記設定情報は、パネル制御部１９に記憶される。高画質モードでは、パネル制御部１９は、標準モードの場合よりも画像の圧縮率を小さくして、圧縮した画像データを解凍する場合に、画像の劣化がより少ない状態となるように画像データを画像データ記憶部１５に記憶させる。図８では、高画質モードを示す「ファイン」が表示されている。
【００８０】
記憶場所表示領域６５には、画像データを記憶する記憶場所の設定情報が表示される。具体的には、記憶場所が内蔵メモリである場合には、内蔵メモリであることを示す記号が表示され、記憶場所が着脱メモリである場合には、着脱メモリを表す記号が表示される。たとえば着脱メモリとしてＳＤカードを用いる場合には、図８に示すように、画像データが記憶される場所が着脱メモリであることを表す記号「ＳＤ」が表示される。
【００８１】
撮像可能枚数表示領域６６には、撮像可能な画像の枚数を表す数字「ｎ」（ｎは、０を含む正の整数）が表示される。この撮像可能枚数表示領域６６には、前述した記憶場所表示領域６５に表示されている記憶場所における、記憶可能な画像の枚数が表示される。
【００８２】
撮像倍率表示領域６７には、撮像倍率の設定情報が表示される。撮像倍率は、予め定める基準値、および予め定める基準値のｍ（ｍは、１より大きな正の数）倍に設定することができ、本実施の形態では、たとえば基準値の２倍または４倍に設定することができる。撮像倍率表示領域６７には、撮像倍率が基準値の場合には、「標準」と表示され、２倍の場合には、「×２」と表示され、４倍の場合には、「×４」と表示される。撮像倍率の設定情報は、パネル制御部１９に記憶されている。
【００８３】
露出表示領域６８には、露出の状態を表す設定情報が表示される。露出量は、予め定める基準値、および予め定める基準値から明るくなる方向にｐ（ｐは、１よりも大きな正の整数）段階、また予め定める基準値から暗くなる方向にｑ（ｑは、１よりも大きな正の整数）段階に設定することができる。本実施の形態では、予め定める基準値から明るくなる方向に２段階、予め定める基準値から暗くなる方向に２段階変更することができ、合計５つの露出量から任意に設定することができる。露出量の設定において、まず予め定める基準値を決定しておき、画像を明るくする場合には、前記予め定める基準値を明るくなる方向に変化させ、画像を暗くする場合には、前記予め定める基準値を暗くなる方向に変化させる。露出の状態を表す設定情報は、パネル制御部１９に記憶される。
【００８４】
前記露出量は、カメラ部１１のシャッタスピードおよび増幅率を変更することによって変更することができる。
【００８５】
露出表示領域６８には、露出量が基準の場合には、「±０」と表示され、基準から１段階明るい場合には、「＋１」と表示され、２段階明るい場合には「＋２」と表示される。また標準から１段階暗い場合には、「−１」と表示され、２段階暗い場合には「−２」と表示される。
【００８６】
本実施の形態では、表示画面６１に向かって左から順番に、電源状態表示領域６３、画質表示領域６４、記憶場所表示領域６５、撮像可能枚数表示領域６６、撮像倍率表示領域６７、および露出表示領域６８が順番に並んで表示されているが、本発明の実施の他の形態において、前記ステータスバー６２の各表示領域の並びは前述の順番に限らず、たとえば電源状態表示領域６３が表示画面６１に向かって最も右に設けられてもよい。このように、表示画面６１にステータスバー６２を設けることによって、操作者は、撮像モードでの表示パネル３の状態を即座に把握することができる。
【００８７】
前記ステータスバー６２の下部には、カメラ部１１によって撮像された画像が表示される。前記ステータスバー６２の各表示領域に表示される記号、および文字を除く領域にも、撮像された画像が表示されるように構成してもよく、またステータスバー６２は、所定の操作ボタンを操作することによって、表示させる構成であってもよい。
【００８８】
またパネル制御部１９は、撮像モードに切換えたとき、パネル操作部１４を、カメラ部１１および表示部１３のうち少なくとも一方への指令を入力可能な撮像指令入力機能に設定する。具体的には、パネル制御部１９は、十字ボタン５２のうち右ボタン５２ｃおよび左ボタン５２ｄを撮像される画像の倍率を変更する倍率変更の指令入力ボタンとして機能させ、十字ボタン５２のうち上ボタン５２ａおよび下ボタン５２ｂを画像の明るさを変更する露出変更の指令入力ボタンとして機能させ、また前記中央ボタン５３を画像を上下に反転させる指令入力ボタンとして機能させる。
【００８９】
さらに具体的にはパネル制御部１９は、前記右ボタン５２ｃを撮像倍率を増加させる指令入力ボタンとして機能させ、左ボタン５２ｄを撮像倍率を減少させる指令入力ボタンとして機能させ、上ボタン５２ａを露出量を増加させる指令入力ボタンとして機能させ、下ボタン５２ｂを露出量を減少させる指令入力ボタンとして機能させる。
【００９０】
またパネル制御部１９は、撮像モードでは、中央ボタン５３を表示部１３に表示される画像の上下を反転させる指令入力ボタンとして機能させる。
【００９１】
図９は、表示パネル３を通信端末装置本体２から離脱させ、撮像モードとしたときのパネル操作部１４の機能を説明する図である。前述したように表示パネル３を通信端末装置本体２から離脱させると、パネル制御部１９が表示パネル３を待機モードから撮像モードに切換え、図９（１）に示すような表示画面６１が表示される。図９（１）に示す表示画面は、前述した図８に示す表示画面６１である。表示画面６１には、カメラ部１１によって撮像された画像が表示されている。
【００９２】
図９（１）に示すように、表示画面６１に、カメラ部１１によって撮像された画像が表示されている状態で、シャッタボタン５１を操作すると、パネル制御部１９によって、シャッタボタン５１が操作されたときに表示部１３の表示メモリに記憶されている画像データの撮像データ記憶部１５への記憶が開始される。本実施の形態では、画像データは、静止画を表す。このように撮像モードにおいて、パネル制御部１９は、シャッタボタン５１を撮像された画像データを撮像データ記憶部１５に記憶させる指令入力ボタンとして機能させる。
【００９３】
図９（２）は、前記画像データを撮像データ記憶部１５に記憶する間の表示画面６１を示す図である。表示画面６１には、「データ保存中  しばらくお待ちください」というメッセージが表示される。このとき、パネル制御部１９では、画像データを設定されている圧縮率で圧縮する。図９（２）では、画質表示領域６４に「ファイン」と表示されているので、パネル制御部１９は、高画質モードで画像データを圧縮する。また、記憶場所表示領域６５に「ＳＤ」と表示されているので、パネル制御部１９は、着脱メモリに画像データを記憶させる。
【００９４】
図９（３）は、画像データの撮像データ記憶部１５への記憶が完了したときの表示画面６１を示す図である。画像データの撮像データ記憶部１５への記憶が完了すると、表示画面６１には、「保存しました  残り（ｎ−１）枚」という画像データの撮像データ記憶部１５への記憶が完了したことを示すメッセージと、撮像可能な静止画の枚数を表す情報とが表示される。これによって操作者は、画像データが保存されたこと、および撮像可能な静止画の枚数を知ることができる。画像データの撮像データ記憶部１５への記憶が完了すると、再び図９（１）に示す表示画面６１に遷移する。ただし、撮像可能枚数表示領域６６の数字は、ｎ−１となる。
【００９５】
図９（４）は、図９（１）に示す状態で、右ボタン５２ｃを操作したときの表示画面６１を示す図である。前述したように撮像モードでは、パネル制御部１９は、十字ボタン５２のうち右ボタン５２ｃを撮像倍率を増加させる指令入力ボタンとして機能させるので、右ボタン５２ｃを操作することによって、パネル制御部１９に撮像倍率を増加させる指令、つまりズームアップの指令が与えられる。撮像倍率を増加させることができる場合、表示画面６１には、撮像倍率が変更された画像が表示される。撮像倍率表示領域６７には、撮像倍率が変更された場合に、変更された撮像倍率の情報が表示される。
【００９６】
本実施の形態では、右ボタン５２ｃを１回押下することによって、表示画面６１に現在表示されている画像、つまり右ボタン５２ｃが押下される前に表示されている画像を２倍に拡大して表示画面６１に表示する。
【００９７】
撮像倍率の変更は、パネル制御部１９からの指令に基づいて、画像処理部１２によって実行される。撮像倍率の変更は、基準値から２倍に変更する場合には、トリミングによって実現され、２倍から４倍に変更する場合には、撮像倍率が２倍のときの画像を２倍に拡大するとともに、画像データをソフトウェアによって補完する。
【００９８】
図９（１）に示す状態では、撮像倍率が「標準」であるので、右ボタン５２ｃを１回を押下すると、撮像倍率が２倍となり、図９（４）に示すように、撮像倍率表示表域６７には、「×２」が表示される。撮像倍率が最大倍率である場合、つまり本実施の形態では、撮像倍率が４倍である場合には、右ボタン５２ｃを操作しても、その指令をパネル制御部１９ははね付ける、つまり受け付けない。
【００９９】
図９（５）は、図９（１）に示す状態で、左ボタン５２ｄを操作したときの表示画面６１を示す図である。前述したように撮像モードでは、パネル制御部１９は、十字ボタン５２のうち左ボタン５２ｄを撮像倍率を減少させる指令入力ボタンとして機能させるので、左ボタン５２ｄを操作することによって、パネル制御部１９に撮像倍率を減少させる指令、つまりズームダウンの指令が与えられる。撮像倍率を減少させることができる場合、表示画面６１には、撮像倍率が変更された画像が表示される。撮像倍率表示領域６７には、撮像倍率が変更された場合に、変更された倍率の情報が表示される。
【０１００】
図９（１）に示す状態では、撮像倍率が「標準」であり、最低倍率であるので、左ボタン５２ｄを操作しても、その指令をパネル制御部１９は受け付けない。撮像倍率が２倍のときには、左ボタン５２ｄを１回押下すると、撮像倍率が１／２に変更され、撮像倍率は標準となる。また撮像倍率が４倍のときには、撮像倍率は２倍に変更される。
【０１０１】
図９（６）は、図９（１）に示す状態で、上ボタン５２ａを操作したときの表示画面６１を示す図である。前述したように撮像モードでは、パネル制御部１９は、十字ボタン５２のうち上ボタン５２ａを、露出量を増加させる指令入力ボタンとして機能させるので、上ボタン５２ａを操作することによって、パネル制御部１９に露出量を増加させる指令、つまり撮像される画像を明るくする指令が与えられる。露出量を増加させることができる場合、表示画面６１には、露出量が変更された画像が表示される。露出表示領域６８には、露出量が変更された場合に、変更された露出状態を表す情報が表示される。
【０１０２】
図９（１）に示す状態では、露出量が「±０」であるので、上ボタン５２ａを１回押下すると、露出量が１段階増加し、図９（６）に示すように露出表示領域６８には、「＋１」が表示される。露出量が最大（ＭＡＸ）である場合、つまり本実施の形態では、露出量が標準の場合よりも２段階増加すると、上ボタン５２ａを操作しても、その指令をパネル制御部１９は受け付けない。
【０１０３】
図９（７）は、図９（１）に示す状態で、下ボタン５２ｂを操作したときの表示画面６１を示す図である。前述したように撮像モードでは、パネル制御部１９は、十字ボタン５２のうち下ボタン５２ｂを、露出量を減少させる指令入力ボタンとして機能させるので、下ボタン５２ｂを操作することによって、パネル制御部１９に露出量を減少させる指令、つまり撮像される画像を暗くする指令が与えられる。露出量を減少させることができる場合、表示画面６１には、露出量が変更された画像が表示される。露出表示領域６８には、露出量が変更された場合に、変更された露出状態を表す情報が表示される。
【０１０４】
図９（１）では、露出量が「±０」であるので、下ボタン５２ｂを１回押下すると、露出量が１段階減少し、図９（７）に示すように、露出表示領域６８には、「−１」が表示される。露出量が最小（ＭＩＮ）である場合、下ボタン５２ｂを操作しても、その指令をパネル制御部１９は受け付けない。
【０１０５】
図９（８）は、図９（１）に示す状態で、中央ボタン５３を操作したときの表示画面６１を表す図である。撮像モードでは、パネル制御部１９は、中央ボタン５３を表示部１３に表示される画像の上下を反転させる指令入力ボタンとして機能させるので、中央ボタン５３を操作すると、パネル制御部１９に、表示部１３に表示される画像の上下を反転させる指令が与えられる。
【０１０６】
パネル制御部１９に、表示部１３に表示される画像の上下を反転させる指令が与えられると、パネル制御部１９は画像処理部１２および表示部１３を制御して、表示部１３の表示メモリに画像データを書き込む順番を逆にする。これによって、表示メモリに記憶される画像データを表示部１３に表示させると、撮像部によって撮像された画像の上下が逆に表示される。前記カメラ部１１は、軸線まわりに角変位可能に設けられているので、撮像面を表示部１３の表示面が臨む側に向けて撮像した場合と、前記撮像面を表示部１３が臨む側とは反対側に向ける場合とでは、表示部１３に撮像される画像の上下方向が逆になってしまう。しかしながら、撮像モードにおいて、中央ボタン５３を操作することによって、表示部１３に表示させる画像の上下を反転させることができる。したがって、撮像の自由度が向上する。また、カメラ部１１の軸線まわりの変位をセンサなどによって検出して表示部１３に表示させる画像を反転させる場合と比較して、装置を簡素化することができ、これによって表示パネル３の製造工程を少なくして、生産性を向上させることができる。
【０１０７】
以上のように、撮像モードのときには、明るさ、倍率および上下反転のように、操作者による使用頻度の高い機能をパネル操作部１４からの入力によって、直接変更することができるようになり、操作性が向上される。
【０１０８】
図９（１０）は、図９（１）に示す状態で、機能ボタン５４を予め定める時間操作したときの表示画面６１を示す図である。撮像モードにおいて、機能ボタン５４を長押しする、つまり予め定める時間Ｔ以上の間にわたって押下したときは、パネル制御部１９は、機能ボタン５４を表示部１３の電源の入切の指令入力ボタンとして機能させる。このように機能ボタン５４は、表示部１３の電源ボタンを兼ねており、機能ボタン５４を長押しすることによって、表示パネル３を動作停止モードにすることができる。動作停止モードでは、パネル制御部１９は、バックライトに電力を供給しないように制御する。また、動作停止モードのときに、パネル操作部１４の任意のボタンの押下によって、バックライトに電力が供給され、パネル制御部１９は表示パネル３を撮像モードにする。前記予め定める時間Ｔは、たとえば３秒である。
【０１０９】
図９（１）に示す状態で、機能ボタン５４を長押しした場合には、図９（１０）に示すように、パネル制御部１９は、表示部１３のバックライトへの電力の供給を停止する。また、図９（１０）に示すバックライトへの電力の供給が停止された状態で、前記任意のボタンを押下した場合には、図９（１）に示すように、パネル制御部１９は、表示部１３へのバックライトへの電力の供給を再開し、表示部１３にカメラ部１１で撮像された画像が表示される。このように、撮像モードにおいて、バックライトへの電力の供給を停止することができるので、表示パネル３を通信端末装置本体２から離脱した状態で、充電池１８の消費電力を小さくすることができ、長時間の持ち運びが可能となる。
【０１１０】
パネル制御部１９は、タイマを有し、撮像モードにおいて予め定める時間、パネル操作部１４から指令が入力されない場合には、表示部１３のバックライトをオフするように表示部１３を制御してもよい。
【０１１１】
撮像モードにおいて、パネル制御部１９は、撮像モードにおいて、機能ボタン５４を前記予め定める時間Ｔ未満で押下したときは、パネル制御部１９は、機能ボタン５４を、メニュー表示モードに切換える指令入力ボタンとして機能させる。
【０１１２】
図９（１）に示す状態で、機能ボタン５４を予め定める時間Ｔよりも短い間押下すると、パネル制御部１９は表示部１３に制御指令を与え、表示部１３の表示画面６１には、メニュー７１が表示される。前記メニュー７１には、複数のモードの中から希望するモードを選択するための複数のモード選択表示ボタン７２が設けられている。
【０１１３】
図１０（１）〜（１０）は、メニュー表示モードにおける表示画面６１を示す図である。前述したように、機能ボタン５４を操作すると、図１０（１）に示すメニュー７１が表示される。メニュー７１には、カメラ機能、すなわち撮像モードにおいて設定可能な動作モードを選択する複数のモード選択表示ボタン７２が設けられる。図１０において、記号［↑］は、上ボタン５２ａを操作することを表し、記号［↓］は、下ボタン５２ｂを操作することを表す。
【０１１４】
図１０（１）に示すように、モード選択表示ボタン７２として、「１．撮像／再生切替」、「２．一覧／フル画面表示切替」、「３．画質選択」、「４．消去」、「５．メモリ選択」が表示される。前記モード選択表示ボタン７２のうち、選択されているものの下部には、下線が表示され、これによって操作者は、どのモード選択表示ボタン７２が選択されているかを判断することができる。図１０（１）に示す表示画面６１では、「１．撮像／再生切替」の下部に下線が表示され、この「１．撮像／再生切替」が選択されている状態である。モード選択表示ボタン７２は、表示画面６１の上下方向に並んで表示される。
【０１１５】
メニュー表示モードにおいて、パネル制御部１９は、十字ボタン５２をモード選択表示ボタン７２を選択する指令入力ボタン、つまりモード選択操作ボタンとして機能させる。十字ボタン５２のうち、上ボタン５２ａまたは下ボタン５２ｂを操作することによって、前記下線を移動させて、上下方向に並ぶモード選択表示ボタン７２を順番に選択することができる。またメニュー表示モードにおいて、パネル制御部１９は、中央ボタン５３を選択したモード選択表示ボタン７２を決定する指令入力ボタンとして機能させる。
【０１１６】
モード選択表示ボタン７２のうち「１．撮像／再生切替」は、撮像モードまたは再生モードを選択するため表示選択メニューに移行するためのボタンである。表示選択メニューにおいて、再生モードを選択すると、パネル制御部１９は、前記撮像データ記憶部１５に記憶されている画像データを表示部１３に表示させる。
【０１１７】
モード選択表示ボタン７２のうち「２．一覧／フル画面表示切替」は、再生モードにおいて、表示部１３の表示画面６４に撮像データ記憶部１５に記憶されている画像データの一覧を表示させるのか、あるいはそのうちの一枚を表示させるのかを選択する再生表示選択メニューに移行するためのボタンである。
【０１１８】
モード選択表示ボタン７２のうち「３．画質選択」は、撮像される画像の画質を標準モードとするか、または高画質モードとするかを選択するため画質選択メニューに移行するためのボタンである。
【０１１９】
モード選択表示ボタン７２のうち「４．消去」は、撮像データ記憶部１５に記憶される画像データを消去する消去メニューに移行するためのボタンである。
【０１２０】
モード選択表示ボタン７２のうち「５．メモリ選択」は、撮像された画像データを、内部メモリに記憶させるのか、または装着メモリに記憶させるのかを選択するためのメモリ選択メニューに移行するためのボタンである。
【０１２１】
モード選択表示ボタン７２の下方には、操作の方法が表示される。たとえば十字ボタン５２であることを示す記号「＋」を用いて、たとえば十字ボタン５２で選択することを示唆する「［＋］で選択」が表示され、中央ボタン５３で決定することを示唆する「［決定］で決定」が表示される。このように操作方法を同時に表示されるので、操作者にとって操作しやすくなる。
【０１２２】
メニュー表示モードでは、十字ボタン５２の上ボタン５２ａまたは下ボタン５２ｂを操作することによって、複数のモード選択表示ボタン７２のうちの１つを選択することができる。たとえば、図１０（１）に示す表示状態から、下ボタン５２ｂを操作すると、「２．一覧／フル画面表示切替」の下部に下線が移動し、表示画面６１は、図１０（２）に示す表示状態となる。
【０１２３】
同様に下ボタン５２ｂを操作することによって、図１０（３）〜図１０（５）に示すように順番にモード選択表示ボタン７２を選択することができる。
【０１２４】
表示画面６１が、図１０（５）に示す状態となっているときに、さらに下ボタン５２ｂを操作すると、図１０（６）に示すように、「１．撮像／再生切替」が表示画面６１から消去され、「６．再生先選択」が新たに表示される。モード選択表示ボタン７２の数によっては表示画面６１に一度に表示させてしまうと、それぞれの表示ボタンが小さく表示され、表示ボタンの文字が小さくなってしまう場合があるが、表示画面６１にはモード選択表示ボタン７２の一部を表示させ、一度に表示されない残余のモード選択表示ボタンは、上ボタン５２ａまたは下ボタン５２ｂを操作することによって、表示させることができるので、メニューにおいて選択可能なモードの数にかかわらず、操作者が文字を見やすい大きさにモード選択表示ボタンを設定することができる。メニュー選択表示ボタン７２のうち「６．再生先選択」は、再生モードにおいて再生する画像が記憶されている撮像データ記憶部１５を選択する再生先選択メニューを表示させるボタンである。
【０１２５】
同様に、表示画面６１が図１０（６）に示す状態で、さらに下ボタン５３ｂを操作すると、図１０（７）に示すように「２．一覧／フル画面表示切替」が表示画面６１から消去され、「７．スライドショー」が新たに表示される。メニュー選択表示ボタン７２のうち「７．スライドショー」は、再生モードにおいて、撮像データ記憶部１５に記憶される画像を、順番に表示させるか否かを選択するスライドショー選択メニューに移行するためのボタンである。
【０１２６】
また表示画面６１が図１０（７）に示す状態で、さらに下ボタン５３ｂを操作すると、図１０（８）に示すように「３．画質選択」が表示画面６１から消去され、「８．オートパワーオフ」が新たに表示される。メニュー選択表示ボタン７２のうち「８．オートパワーオフ」は、設定後一定時間が経過した後に、表示部１３のバックライトの電源をオフにするか否かを選択するオートパワーオフ選択メニューに移行するためのボタンである。
【０１２７】
また表示画面６１が図１０（８）に示す状態で、さらに下ボタン５３ｂを操作すると、図１０（９）に示すように「４．消去」が表示画面から消去され、図１０（９）に示すように「９．キータッチ音」が表示される。メニュー選択表示ボタン７２のうち「９．キータッチ音」は、パネル操作部１４の各ボタンを操作したときに、スピーカから発せられる音の有無を選択するためのキータッチ音選択メニューに移行するためのボタンである。
【０１２８】
また表示画面６１が図１０（９）に示す状態で、さらに下ボタンを操作すると、図１０（１０）に示すように「５．メモリ選択」が表示画面６１から消去され、「戻る」が新たに表示される。メニュー選択表示ボタン７２のうち「戻る」は、メニュー表示モードから図９（１）に示す撮像モードに戻るためのボタンである。図１０（１０）に示す状態で、さらに下ボタン５３ｂを操作すると、再び図１０（１）の表示状態となる。
【０１２９】
また表示画面６１が、図１０（１）に示す表示状態で、上ボタン５３ａを操作すると、図１０（１０）に示す状態となる。さらに上ボタン５３ａを操作すると、上ボタンを１回押下するごとに、順番に図１０（９）、図１０（８）、図１０（７）、図１０（６）、図１０（５）、図１０（４）、図１０（３）、図１０（２）および図１０（１）に示すように表示画面６１が表示される。
【０１３０】
たとえば、表示画面６１が図１０（３）に示す状態、つまり「３．画質選択」の下部に下線が表示されている状態で、中央ボタン５３を操作すると、表示画面６１には画質選択メニュー７３が表示される。
【０１３１】
図１１（１）は、表示画面６１に表示される画質選択メニュー７３を示す図である。画質選択メニュー７２では、「１．ファイン」および「２．ノーマル」のモード選択表示ボタン７２が表示される。モード選択表示ボタン７２の下部には下線が表示され、上ボタン５２ａまたは下ボタン５２ｂを操作することによって、下線を移動させてモード選択表示ボタン７２を選択する。図１１（１）では、「１．ファイン」が選択されている。図１１（１）に示す状態で、中央ボタン５３を操作すると、図１１（２）に示すように、「ファインに設定しました」と言うメッセージが表示画面６１に表示され、高画質モードが設定される。設定が完了すると、再び図１０（３）に示す表示状態となる。
【０１３２】
機能ボタン５４が操作され、メニュー表示モードになったときに、まず表示されるモード選択表示ボタン７２には、撮像時に使用頻度の高いものを配置しておくことによって、操作性がさらに向上される。
【０１３３】
前述したように、また十字キー５２は、撮像モードのときに撮像倍率および露出量を変更する指令入力ボタンとして機能し、さらにメニュー表示モードのとき、モード選択表示ボタンを変更するボタンとして機能する。中央ボタン５３は、撮像モードのときに表示画面６１に表示される画像の上下を反転させる指令入力ボタンとして機能し、メニュー表示モードのとき、メニューのうちの動作モードを決定する指令入力ボタンとして機能させる。
【０１３４】
このように、十字ボタン５２および中央ボタン５３は、通信端末装置１の動作モードに応じて、その機能が変更される、つまり操作されることによってパネル制御部１９に与えられる指示の内容が変更される。したがって、表示パネル３には、撮像モードで必要なボタンのみが設け、機械的なボタンの数を可及的少なく構成することができる。したがって、装置のハードウェア構成を簡略化することができ、部品数を低減して装置の組み立てを容易にすることができる。
【０１３５】
また、パネル制御部１９は、表示パネル３を通信端末装置本体２に装着されているときには、前記中央ボタン５３をインターネット接続を実行するための指令入力ボタンとして機能させる。表示パネル３を通信端末装置本体２に装着した状態で、中央ボタン５３を押下すると、パネル制御部１９は、本体ＣＰＵ３３と通信し、本体ＣＰＵ３３は、装置の各部を制御して、通信端末装置１をインターネットに接続する動作モードとする。
【０１３６】
本実施の形態では、撮像部によって静止画を撮像している、つまり画像データ記憶部１５に記憶される画像データは静止画のデータであるが、本発明の他の実施の形態において、動画を撮像してもよい、つまり画像データ記憶部１５に記憶される画像データは動画のデータであってもよい。
【０１３７】
また本発明の他の実施の形態において、前述した待機モードは、撮像モードを含んでもよい。前記待機モードが撮像である場合、表示パネル３を通信端末装置本体２から離脱させる、つまり表示パネル３が通信端末装置本体２に近接した予め定める近接状態から、表示パネル３が通信端末装置本体２から離反した離反状態に変化させると、パネル制御部１９は、予め定める近接状態における動作モードである撮像モードを維持する。またこの場合、表示パネル３を通信端末装置本体２に装着することによって、離反状態から予め定める近接状態に変化させると、パネル制御部１９は、撮像モードを維持する。
【０１３８】
このように予め定める近接状態と、離反状態とにおいて、表示パネル３の動作モードが同じである場合には、動作モードが維持されるので、不所望に動作モードが切換わることがなく、利便性が向上される。
【０１３９】
また本発明のさらに他の実施の形態において、離反状態における所定の動作モードは、たとえば撮像データ記憶部１５に記憶された画像情報を表示部１３に表示させる画像再生モードなどの、撮像モード以外の動作モードであってもよい。予め定める近接状態における動作モードと、離反状態における動作モードは、利用者によって選択される。予め定める近接状態における動作モードと、離反状態における動作モードとを設定しておくことによって、表示パネル３を予め定める近接状態から離反状態とするだけで、入力部による操作の必要なく、表示パネルを利用者が望む動作モードとすることができ、さらに表示パネルを離反状態から予め定める近接状態とするだけで、入力部による操作の必要なく、表示パネル３を利用者が望む動作モードとすることができ、利便性が向上される。
【０１４０】
また本発明の実施の他の形態において、前記通信端末装置１は、公衆回線網に接続される通信装置、たとえば電話機、インターネット電話機および携帯電話機などであってもよい。
【０１４１】
図１２は、本発明のさらに他の実施の形態の通信端末装置における表示パネル１０３の構成を示すブロック図であり、図１３は通信端末装置における通信端末装置本体１０２の構成を示すブロック図である。本実施の形態の通信端末装置は、前述した実施の形態の通信端末装置１に、無線通信部を付加した構成であるので、同様な部分には、同様な符号を付して、重複する説明を省略する。
【０１４２】
表示パネル１０３は、カメラ部１１、画像処理部１２、表示部１３、入力部であるパネル操作部１４、パネルコネクタ５、撮像データ記憶部１５、パネル有線通信部１６、電源回路１７、充電池１８、パネル制御部１９および無線通信部であるパネル無線制御部１２０を有する。
【０１４３】
パネル無線制御部１２０は、パネル制御部１９から与えられる制御指令に基づいて、後述する本体無線制御部１４０と無線通信する。前記無線通信は、たとえばブルートゥース（Ｂｕｌｅｔｏｏｔｈ：登録商標）などの無線通信方式によって行われる。パネル無線制御部１２０には、アンテナが含まれる。本発明の実施のさらに他の形態において、前記パネル無線制御部１２０と本体無線通信部１４０とは赤外線通信してもよい。
【０１４４】
通信端末装置１０２は、キーパネル部２１、モデム２２、ＮＣＵ（Ｎｅ  ｔｗｏｒｋ  Ｃｏｎｔｒｏｌ  Ｕｎｉｔ）２３、スキャナ部２４、印刷部２５、ハンドセット２６、無線送受信部２７、本体送受信メモリバッファ２８、本体有線通信部２９、本体プログラム記憶部３１、本体情報記憶部３２、本体ＣＰＵ３３、本体データバス３４、アンテナ３５、本体コネクタ４、給電停止スイッチ回路３６および電源部３７、および無線通信部である本体無線制御部１４０を有する。
【０１４５】
本体無線制御部１４０は、本体ＣＰＵからの制御指令に基づいて、前記パネル無線通信部１２０と無線通信する。本体無線通信制御部１４０には、アンテナが含まれる。
【０１４６】
本実施の形態において、予め定める近接状態とは、表示パネル１０３が通信端末装置２に装着された状態を含み、表示パネル１０３が通信端末装置本体１０２から予め定める範囲に位置する状態である。本実施の形態では、予め定める近接状態における動作モードは、前述した待機モードとする。表示パネル１０３および通信端末装置本体１０２に無線通信部１２０，１４０をそれぞれ設けることによって、表示パネル１０３および通信端末装置本体１０２を物理的に接続することなく、常時相互に通信可能とすることができる。たとえば、表示パネル１０３では、通信端末装置本体１０２から無線によって得られる通信情報を、表示部１３に表示させることができる。
【０１４７】
前記パネル無線制御部１２０と、本体無線制御部１４０とは、制御指令に基づいて、常に無線接続されており、言い換えれば表示パネル１０３および通信端末装置本体２の間でいつでも通信情報の送信および受信をすることができる状態となっており、互いに通信電波の強度を予め定める間隔で検出している。パネル無線制御部１２０は、前記検出によって得られる通信電波の強度に関する情報を、パネル制御部１９に与える。パネル制御部１９は、パネル無線通信部１２０から与えられる通信電波の強度に関する情報を把握している。
【０１４８】
パネル制御部１２０は、パネル無線通信部１２０から与えられる通信電波の強度に関する情報から、パネル無線通信部１２０が受信する電波強度が予め定めるレベル以下であるか否かを判断して、前記電波強度が予め定めるレベル以下になったと判断すると、表示パネル１０３を待機モードから撮像モードに切換える。
【０１４９】
パネル無線制御部１２０によって検出される電波強度は、通常、通信端末装置２からの距離に比例して弱くなるため、表示パネル１０３が通信端末装置本体１０２から予め定める範囲を超えて離反すると、電波強度が予め定めるレベル以下となる。電波強度が予め定めるレベル以下になったとパネル制御部１９が判断すると、パネル制御部１９は、表示パネル１０３を撮像モードに切換え、カメラ部１１および画像処理部１２に制御指令を与えて起動させ、表示部１３にカメラ部１１によって得られる画像情報を表示させる。
【０１５０】
また表示パネル１０３が通信端末装置本体１０２から予め定める範囲内に移動すると、前記パネル無線制御部１２０が受信する電波強度が、予め定めるレベルよりも大きくなる。電波強度が予め定めるレベル以下になったとパネル制御部１９が判断すると、パネル制御部１９は、表示パネル１０３を撮像モードから待機モードに切換える。
【０１５１】
前記予め定める電波強度のレベルは、たとえば表示パネル１０３が通信端末装置本体１０２から、数メートル離反した距離における電波強度のレベルとする。以上のように、電波強度によって表示パネル１０３を撮像モードに切換えることできるので、通信端末装置本体２から数メートル離れた状態とすることによって、表示パネル１０３は、自動で撮像モードに切換えられ、パネル操作部１４によって動作モードを切換えることなく撮影状態に移行することができる。
【０１５２】
また本実施の形態において、パネル有線通信部１６および本体有線通信部２９との有線通信と、パネル無線通信制御部１２０および本体無線通信制御部１４０との無線通信とを切換えて、表示パネル１０３と通信端末装置本体１０２との間で通信してもよい。すなわちパネル制御部１９は、パネル有線通信部１６の接続を認識するためのパネルコネクタ５の本体コネクタ４からの離脱を検出すると、無線制御部２０を起動し、接続方式を有線通信から無線通信に切換える。
【０１５３】
また表示パネル１０３および通信端末装置本体１０２に無線通信部を有する構成とする場合、図１２に示す表示パネル１０３に設けられるパネル有線通信部１６およびパネルコネクタ５と、図１３に示す通信端末装置本体１０２に設けられる本体有線制御部２９、本体コネクタ４および給電停止スイッチ回路３６を省略してもよい。
【０１５４】
【発明の効果】
以上のように本発明によれば、予め定める近接状態における動作モードと、離反状態における動作モードとを設定しておくことによって、表示パネルを予め定める近接状態から離反状態とするだけで、入力部による操作の必要なく、表示パネルを利用者が望む動作モードとすることができ、利便性が向上される。
【０１５５】
また本発明によれば、各有線通信部を有線通信接続部によって相互に物理的に接続して、表示パネルと通信端末装置本体とが通信する構成とすることで、表示パネルと通信端末装置本体との間での通信情報の伝送の信頼性を確保し、安定した通信を行うことができる。
【０１５６】
また本発明によれば、通信端末装置本体と表示パネルとを物理的に接続しなくても、相互に無線通信することができるので、通信端末装置と表示パネルとの予め定める近接状態における配置の自由度が向上する。また無線通信部の通信状態、たとえば電波強度に応じて、制御部は、予め定める近接状態と離反状態とを区別することができ、たとえば通信端末装置本体から予め定める距離までを予め定める近接状態として、通信端末装置本体からの離反距離に応じて表示パネルの動作モードを変更することができる。
【０１５７】
また本発明によれば、表示パネルの動作モードが撮像部によって撮像する撮像モードのとき、制御部によって、表示部には撮像部によって撮像された画像が表示される。これによって、操作者は、撮像部によって撮像された画像を見ることができる。また前記撮像モードのとき、制御部によって、入力部は撮像指令設定機能に設定される。これによって、前記入力部から撮像部および表示部のうち少なくとも一方への指令を操作者が直接入力することができる。したがって、撮像の設定および表示部の設定を入力部からの入力によって直接変更することができるようになり、操作者が表示パネルを用いて撮像するときの操作が簡略化される。
【０１５８】
また本発明によれば、前記制御部は、前記撮像指令入力機能として少なくとも、明るさ、倍率および上下反転のうち少なくとも１つを含む。明るさ、倍率および上下反転のように、操作者による使用頻度の高い機能を入力部からの入力によって直接変更することができるようになり、操作性がさらに向上される。
【０１５９】
また本発明によれば、入力部のようなハードウェアによって形成されるモード選択操作ボタンを用いて、表示部に表示され、ソフトウェアによって形成されるモード選択表示ボタンを選択することによって、モード選択操作ボタンを少なく構成することができる。したがって、装置のハードウェア構成を簡略化することができ、部品数を低減して装置の組み立てを容易にすることができる。
【０１６０】
また本発明によれば、予め定める近接状態における動作モードと、離反状態における動作モードとを設定しておくことによって、表示パネルを離反状態から予め定める近接状態とするだけで、入力部による操作の必要なく、表示パネルを利用者が望む動作モードとすることができ、利便性が向上される。
【図面の簡単な説明】
【図１】図１（１）は、通信端末装置１を通信端末装置本体２に表示パネル３が装着された状態で示す正面図であり、図１（２）は通信端末装置１を通信端末装置本体２から表示パネル３が離脱された状態で示す正面図である。
【図２】本発明の実施の一形態の通信端末装置１を示す斜視図である。
【図３】表示パネル３の電気的構成を示すブロック図である。
【図４】通信端末装置本体２の構成を示すブロック図である。
【図５】パネル３の外観を拡大して示す正面図である。
【図６】表示パネル３の外観を拡大して示す背面図である。
【図７】十字ボタン５２および中央ボタン５３の操作部位を拡大して示す図である。
【図８】表示パネル３を通信端末装置本体２から離脱させたときの表示部１３の表示画面を示す図である。
【図９】表示パネル３を通信端末装置本体２から離脱させ、撮像モードとしたときのパネル操作部１４の機能を説明する図である。
【図１０】メニュー表示モードにおける表示画面６１を示す図である。
【図１１】図１１（１）は、表示画面６１に表示される画質選択メニュー７３を示す図であり、図１１（２）は設定が完了したときの表示画面６１を示す図である。
【図１２】本発明のさらに他の実施の形態の通信端末装置における表示パネル１０３の構成を示すブロック図である。
【図１３】本発明のさらに他の実施の形態の通信端末装置における通信端末装置本体１０２の構成を示すブロック図である。
【符号の説明】
１  通信端末装置
２，１０２  通信端末装置本体
３，１０３  表示パネル
１１  カメラ部
１２  画像処理部
１３  表示部
１４  パネル操作部
１５  撮像データ記憶部
１６  パネル有線通信部
１９  パネル制御部
５１  シャッタボタン
５２  十字ボタン
５３  中央ボタン
５４  機能ボタン
７２  モード選択表示ボタン
１２０  パネル無線通信制御部
１４０  本体無線通信制御部
【図１】
2005012574.tif 000003
【図２】
2005012574.tif 000004
【図３】
2005012574.tif 000005
【図４】
2005012574.tif 000006
【図５】
2005012574.tif 000007
【図６】
2005012574.tif 000008
【図７】
2005012574.tif 000009
【図８】
2005012574.tif 000010
【図９】
2005012574.tif 000011
【図１０】
2005012574.tif 000012
【図１１】
2005012574.tif 000013
【図１２】
2005012574.tif 000014
【図１３】
2005012574.tif 000015